(57)【要約】【課題】クライアント端末において効率的にメタ情報を処理することができるクライアント・サーバシステムを提供する。【解決手段】クライアント端末２のＣＰＵ１１に、電源投入時に、ＤＭＳから、メタ情報を管理するＣＤＳのＵＵＩＤとメタ情報の更新関連情報（System Update ID及びContainer Update ID）とを取得させるＣＤＳ管理データ取得プログラム１３Ｃと、取得したＵＵＩＤ及び更新関連情報と、予めＣＤＳ管理データファイル１３Ａに記憶されたＵＵＩＤ及び更新関連情報とを比較して、メタ情報が更新されたか否かを判断させるＵＵＩＤ比較プログラム１３Ｄ，更新検出プログラム１３Ｅ，ブラウズプログラム１３Ｆ，Container Update ID比較プログラム１３Ｇと、メタ情報が更新されたと判断した場合に、更新されたメタ情報をＤＭＳから取得して、データベース１３Ｂを更新させるメタ情報記憶プログラム１３Ｈと、を備えた。【選択図】図４
2008102711.tif 000002
【特許請求の範囲】
【請求項１】
コンテンツを記憶する一乃至複数のサーバと、前記サーバと無線回線を介して接続され、前記サーバからコンテンツを受信するクライアント端末と、を備えるクライアント・サーバシステムにおいて、
前記サーバは、
コンテンツを記憶する複数のコンテナと、
コンテンツのメタ情報を記憶する第１記憶手段と、
前記コンテナが更新された回数を示すコンテナ更新情報を記憶するコンテナ更新情報記憶手段と、
前記サーバが更新された回数を示すサーバ更新情報を記憶するサーバ更新情報記憶手段と、
当該サーバのサーバ識別情報を記憶するサーバ識別情報記憶手段と、
前記第１記憶手段に記憶されたメタ情報を前記クライアント端末に送信する送信手段と、
を備え、
前記クライアント端末は、
前記送信手段により送信されたメタ情報を記憶する第２記憶手段と、
前記サーバ識別情報と、前記サーバのコンテンツのメタ情報を管理するＣＤＳ（Content  Directory  Service）を識別するＣＤＳ識別情報と、当該ＣＤＳにより管理されるメタ情報の更新に関連する更新関連情報としての前記コンテナ更新情報及び前記サーバ更新情報と、を記憶する判断情報記憶手段と、
電源投入時に、無線回線を介して接続されたサーバに関するＣＤＳ識別情報と、前記サーバ識別情報と、当該サーバに記憶されたメタ情報の更新関連情報としての前記コンテナ更新情報及び前記サーバ更新情報とを取得する取得手段と、
前記取得手段により取得されたサーバ識別情報及びＣＤＳ識別情報に基づいて前記ＣＤＳを特定し、特定した前記ＣＤＳにより管理され、前記取得手段により取得されたサーバ更新情報が前記判断情報記憶手段に記憶されたサーバ更新情報と一致するか否かを判断し、一致しないと判断した場合に、前記取得手段により取得されたコンテナ更新情報が前記判断情報記憶手段に記憶されたコンテナ更新情報と一致するか否かを判断することにより、メタ情報が更新されたか否かを判断する更新判断手段と、
前記更新判断手段により、前記メタ情報が更新されたと判断された場合に、更新されたメタ情報を、当該メタ情報を記憶するサーバから取得して、前記第２記憶手段を更新する更新手段と、
を備えることを特徴とするクライアント・サーバシステム。
【請求項２】
コンテンツを記憶する一乃至複数のサーバと、前記サーバと無線回線を介して接続され、前記サーバからコンテンツを受信するクライアント端末と、を備えるクライアント・サーバシステムにおいて、
前記サーバは、
コンテンツのメタ情報を記憶する第１記憶手段と、
前記第１記憶手段に記憶されたメタ情報を前記クライアント端末に送信する送信手段と、を備え、
前記クライアント端末は、
前記送信手段により送信されたメタ情報を記憶する第２記憶手段と、
前記サーバのコンテンツのメタ情報を管理するＣＤＳ（Content  Directory  Service）を識別するＣＤＳ識別情報と、当該ＣＤＳにより管理されるメタ情報の更新に関連する更新関連情報と、を記憶する判断情報記憶手段と、
所定のタイミングで、無線回線を介して接続されたサーバに関するＣＤＳ識別情報と当該サーバに記憶されたメタ情報の更新関連情報とを取得する取得手段と、
前記取得手段により取得されたＣＤＳ識別情報及び更新関連情報と、前記判断情報記憶手段に記憶されたＣＤＳ識別情報及び更新関連情報とを比較して、メタ情報が更新されたか否かを判断する更新判断手段と、
前記更新判断手段により、前記メタ情報が更新されたと判断された場合に、更新されたメタ情報を、当該メタ情報を記憶するサーバから取得して、前記第２記憶手段を更新する更新手段と、
を備えることを特徴とするクライアント・サーバシステム。
【請求項３】
前記サーバは、
コンテンツを記憶する複数のコンテナと、
前記更新関連情報として前記コンテナが更新された回数を示すコンテナ更新情報を記憶するコンテナ更新情報記憶手段と、
を備え、
前記判断情報記憶手段は、前記更新関連情報として前記コンテナ更新情報を記憶し、
前記取得手段は、前記コンテナ更新情報記憶手段に記憶された前記コンテナ更新情報を取得し、
前記更新判断手段は、前記取得手段により取得されたコンテナ更新情報と、前記判断情報記憶手段に記憶されたコンテナ更新情報とが一致するか否かを判断することにより、前記第１記憶手段が更新されたか否かを判断することを特徴とする請求項２に記載のクライアント・サーバシステム。
【請求項４】
前記サーバは、前記更新関連情報として前記サーバが更新された回数を示すサーバ更新情報を記憶するサーバ更新情報記憶手段を備え、
前記判断情報記憶手段は、前記更新関連情報として前記サーバ更新情報を記憶し、
前記取得手段は、前記サーバ更新情報記憶手段に記憶された前記サーバ更新情報を取得し、
前記更新判断手段は、前記取得手段により取得されたサーバ更新情報が前記判断情報記憶手段に記憶されたサーバ更新情報と一致するか否かを判断し、一致しないと判断した場合に、前記取得手段により取得されたコンテナ更新情報が前記判断情報記憶手段に記憶されたコンテナ更新情報と一致するか否かを判断することを特徴とする請求項３に記載のクライアント・サーバシステム。
【請求項５】
前記サーバは、当該サーバのサーバ識別情報を記憶するサーバ識別情報記憶手段を備え、
前記判断情報記憶手段は、サーバ識別情報とＣＤＳ識別情報とを対応付けて記憶し、
前記取得手段は、無線回線を介して接続されたサーバに関するサーバ識別情報を取得し、
前記更新判断手段は、前記取得手段により取得されたサーバ識別情報及びＣＤＳ識別情報に基づいて前記ＣＤＳを特定し、特定した前記ＣＤＳにより管理され、前記取得手段により取得されたコンテナ更新情報が前記判断情報記憶手段に記憶されたコンテナ更新情報と一致するか否かを判断することを特徴とする請求項３又は４に記載のクライアント・サーバシステム。
【発明の詳細な説明】
【技術分野】
【０００１】
本発明は、クライアント・サーバシステムに関する。
【背景技術】
【０００２】
従来、サーバと、当該サーバと無線ＬＡＮにより接続され、サーバからコンテンツを受信するクライアント端末と、を備えるクライアント・サーバシステムが知られている、通常、コンテンツのメタ情報は当該サーバに格納されており、クライアント端末は必要なときにコンテンツのメタ情報を当該サーバから取得する。そして、当該メタ情報を統合的に管理する管理装置を備えるクライアント・サーバシステムも知られている（例えば、特許文献１）。
また、サーバから受信したメタ情報と、ユーザのプロファイルとに基づいて、記憶するコンテンツを判断するクライアント・サーバシステムも知られている（例えば、特許文献２）。
【特許文献１】特開２００５−１８２７７８号公報
【特許文献２】特開２００２−１８３０２９号公報
【発明の開示】
【発明が解決しようとする課題】
【０００３】
しかしながら、必要なときに、メタ情報をサーバから取得することとすると、クライアント端末における当該メタ情報を用いた処理が遅くなるという問題がある。特許文献１のように、管理装置においてメタ情報を管理するだけでは当該問題を解決することができない。また、特許文献２は、コンテンツとともにメタ情報を受信することとしているので、コンテンツを受信する前にメタ情報を処理することができず上記問題を解決することができない。
【０００４】
本発明の課題は、クライアント端末において効率的にメタ情報を処理することができるクライアント・サーバシステムを提供することである。
【課題を解決するための手段】
【０００５】
請求項１に記載の発明は、コンテンツを記憶する一乃至複数のサーバと、前記サーバと無線回線を介して接続され、前記サーバからコンテンツを受信するクライアント端末と、を備えるクライアント・サーバシステムにおいて、
前記サーバは、
コンテンツを記憶する複数のコンテナと、
コンテンツのメタ情報を記憶する第１記憶手段と、
前記コンテナが更新された回数を示すコンテナ更新情報を記憶するコンテナ更新情報記憶手段と、
前記サーバが更新された回数を示すサーバ更新情報を記憶するサーバ更新情報記憶手段と、
当該サーバのサーバ識別情報を記憶するサーバ識別情報記憶手段と、
前記第１記憶手段に記憶されたメタ情報を前記クライアント端末に送信する送信手段と、
を備え、
前記クライアント端末は、
前記送信手段により送信されたメタ情報を記憶する第２記憶手段と、
前記サーバ識別情報と、前記サーバのコンテンツのメタ情報を管理するＣＤＳ（Content  Directory  Service）を識別するＣＤＳ識別情報と、当該ＣＤＳにより管理されるメタ情報の更新に関連する更新関連情報としての前記コンテナ更新情報及び前記サーバ更新情報と、を記憶する判断情報記憶手段と、
電源投入時に、無線回線を介して接続されたサーバに関するＣＤＳ識別情報と、前記サーバ識別情報と、当該サーバに記憶されたメタ情報の更新関連情報としての前記コンテナ更新情報及び前記サーバ更新情報とを取得する取得手段と、
前記取得手段により取得されたサーバ識別情報及びＣＤＳ識別情報に基づいて前記ＣＤＳを特定し、特定した前記ＣＤＳにより管理され、前記取得手段により取得されたサーバ更新情報が前記判断情報記憶手段に記憶されたサーバ更新情報と一致するか否かを判断し、一致しないと判断した場合に、前記取得手段により取得されたコンテナ更新情報が前記判断情報記憶手段に記憶されたコンテナ更新情報と一致するか否かを判断することにより、メタ情報が更新されたか否かを判断する更新判断手段と、
前記更新判断手段により、前記メタ情報が更新されたと判断された場合に、更新されたメタ情報を、当該メタ情報を記憶するサーバから取得して、前記第２記憶手段を更新する更新手段と、
を備えることを特徴としている。
【０００６】
請求項２に記載の発明は、コンテンツを記憶する一乃至複数のサーバと、前記サーバと無線回線を介して接続され、前記サーバからコンテンツを受信するクライアント端末と、を備えるクライアント・サーバシステムにおいて、
前記サーバは、
コンテンツのメタ情報を記憶する第１記憶手段と、
前記第１記憶手段に記憶されたメタ情報を前記クライアント端末に送信する送信手段と、を備え、
前記クライアント端末は、
前記送信手段により送信されたメタ情報を記憶する第２記憶手段と、
前記サーバのコンテンツのメタ情報を管理するＣＤＳ（Content  Directory  Service）を識別するＣＤＳ識別情報と、当該ＣＤＳにより管理されるメタ情報の更新に関連する更新関連情報と、を記憶する判断情報記憶手段と、
所定のタイミングで、無線回線を介して接続されたサーバに関するＣＤＳ識別情報と当該サーバに記憶されたメタ情報の更新関連情報とを取得する取得手段と、
前記取得手段により取得されたＣＤＳ識別情報及び更新関連情報と、前記判断情報記憶手段に記憶されたＣＤＳ識別情報及び更新関連情報とを比較して、メタ情報が更新されたか否かを判断する更新判断手段と、
前記更新判断手段により、前記メタ情報が更新されたと判断された場合に、更新されたメタ情報を、当該メタ情報を記憶するサーバから取得して、前記第２記憶手段を更新する更新手段と、
を備えることを特徴としている。
【０００７】
請求項３に記載の発明は、請求項２に記載のクライアント・サーバシステムにおいて、
前記サーバは、
コンテンツを記憶する複数のコンテナと、
前記更新関連情報として前記コンテナが更新された回数を示すコンテナ更新情報を記憶するコンテナ更新情報記憶手段と、
を備え、
前記判断情報記憶手段は、前記更新関連情報として前記コンテナ更新情報を記憶し、
前記取得手段は、前記コンテナ更新情報記憶手段に記憶された前記コンテナ更新情報を取得し、
前記更新判断手段は、前記取得手段により取得されたコンテナ更新情報と、前記判断情報記憶手段に記憶されたコンテナ更新情報とが一致するか否かを判断することにより、前記第１記憶手段が更新されたか否かを判断することを特徴としている。
【０００８】
請求項４に記載の発明は、請求項３に記載のクライアント・サーバシステムにおいて、
前記サーバは、前記更新関連情報として前記サーバが更新された回数を示すサーバ更新情報を記憶するサーバ更新情報記憶手段を備え、
前記判断情報記憶手段は、前記更新関連情報として前記サーバ更新情報を記憶し、
前記取得手段は、前記サーバ更新情報記憶手段に記憶された前記サーバ更新情報を取得し、
前記更新判断手段は、前記取得手段により取得されたサーバ更新情報が前記判断情報記憶手段に記憶されたサーバ更新情報と一致するか否かを判断し、一致しないと判断した場合に、前記取得手段により取得されたコンテナ更新情報が前記判断情報記憶手段に記憶されたコンテナ更新情報と一致するか否かを判断することを特徴としている。
【０００９】
請求項５に記載の発明は、請求項３又は４に記載のクライアント・サーバシステムにおいて、
前記サーバは、当該サーバのサーバ識別情報を記憶するサーバ識別情報記憶手段を備え、
前記判断情報記憶手段は、サーバ識別情報とＣＤＳ識別情報とを対応付けて記憶し、
前記取得手段は、無線回線を介して接続されたサーバに関するサーバ識別情報を取得し、
前記更新判断手段は、前記取得手段により取得されたサーバ識別情報及びＣＤＳ識別情報に基づいて前記ＣＤＳを特定し、特定した前記ＣＤＳにより管理され、前記取得手段により取得されたコンテナ更新情報が前記判断情報記憶手段に記憶されたコンテナ更新情報と一致するか否かを判断することを特徴としている。
【発明の効果】
【００１０】
請求項１に記載の発明によれば、サーバにおいて、第１記憶手段により、コンテンツのメタ情報が記憶され、送信手段により、第１記憶手段に記憶されたメタ情報がクライアント端末に送信され、クライアント端末において、第２記憶手段により、送信手段によって送信されたメタ情報が記憶され、判断情報記憶手段により、サーバのコンテンツのメタ情報を管理するＣＤＳ（Content  Directory  Service）を識別するＣＤＳ識別情報と、当該ＣＤＳにより管理されるメタ情報の更新に関連する更新関連情報と、が記憶され、取得手段により、電源投入時に、無線回線を介して接続されたサーバに関するＣＤＳ識別情報と当該サーバに記憶されたメタ情報の更新関連情報とが取得され、更新判断手段により、取得手段によって取得されたＣＤＳ識別情報及び更新関連情報と、判断情報記憶手段に記憶されたＣＤＳ識別情報及び更新関連情報とが比較されて、メタ情報が更新されたか否かが判断され、更新手段により、更新判断手段によって、メタ情報が更新されたと判断された場合に、更新されたメタ情報が、当該メタ情報を記憶するサーバから取得されて、第２記憶手段が更新されるので、サーバのコンテンツに関するメタ情報を事前にクライアント端末側で記憶しておくことができ、例えば、ユーザがメタ情報をクライアント端末に表示させたい場合には事前に記憶したメタ情報を表示させればよく、クライアント端末において効率的にメタ情報を処理することができる。
【００１１】
また、サーバにおいて、複数のコンテナによりコンテンツが記憶され、コンテナ更新情報記憶手段により、更新関連情報としてコンテナが更新された回数を示すコンテナ更新情報が記憶され、クライアント端末において、判断情報記憶手段により、更新関連情報としてコンテナ更新情報が記憶され、取得手段により、コンテナ更新情報記憶手段に記憶されたコンテナ更新情報が取得され、更新判断手段により、取得手段によって取得されたコンテナ更新情報と、判断情報記憶手段に記憶されたコンテナ更新情報とが一致するか否かが判断されることにより、第１記憶手段が更新されたか否かが判断されるので、各コンテナ毎にメタ情報の更新の有無を確認することができ、より確実にメタ情報をクライアント端末に記憶させることができる。
【００１２】
また、サーバに備えられたサーバ更新情報記憶手段により、更新関連情報としてサーバが更新された回数を示すサーバ更新情報が記憶され、判断情報記憶手段により、更新関連情報としてサーバ更新情報が記憶され、取得手段により、サーバ更新情報記憶手段に記憶されたサーバ更新情報が取得され、更新判断手段により、取得手段によって取得されたサーバ更新情報が判断情報記憶手段に記憶されたサーバ更新情報と一致するか否かが判断され、一致しないと判断された場合に、取得手段によって取得されたコンテナ更新情報が判断情報記憶手段に記憶されたコンテナ更新情報と一致するか否かが判断されるので、まず、サーバ更新情報に基づいて、サーバ毎にメタ情報の更新の有無を判断し、サーバ内のメタ情報が更新されたと判断した場合にのみ、コンテナ毎にメタ情報の更新の有無を判断することができることとなって、より効率的にメタ情報の更新の有無を確認することができる。
【００１３】
また、サーバに備えられたサーバ識別情報記憶手段により、当該サーバのサーバ識別情報が記憶され、判断情報記憶手段により、サーバ識別情報とＣＤＳ識別情報とが対応付けられて記憶され、取得手段により、無線回線を介して接続されたサーバに関するサーバ識別情報が取得され、更新判断手段により、取得手段によって取得されたサーバ識別情報及びＣＤＳ識別情報に基づいてＣＤＳが特定され、特定されたＣＤＳにより管理され、取得手段によって取得されたコンテナ更新情報が判断情報記憶手段に記憶されたコンテナ更新情報と一致するか否かが判断されるので、サーバ内に複数のＣＤＳが備えられたり、１つのＣＤＳで複数のサーバのメタ情報を管理することとしても、ＣＤＳを特定することができ、当該ＣＤＳにより管理されるメタ情報の更新を確実に確認することができる。
【００１４】
請求項２に記載の発明によれば、サーバにおいて、第１記憶手段により、コンテンツのメタ情報が記憶され、送信手段により、第１記憶手段に記憶されたメタ情報がクライアント端末に送信され、クライアント端末において、第２記憶手段により、送信手段によって送信されたメタ情報が記憶され、判断情報記憶手段により、サーバのコンテンツのメタ情報を管理するＣＤＳ（Content  Directory  Service）を識別するＣＤＳ識別情報と、当該ＣＤＳにより管理されるメタ情報の更新に関連する更新関連情報と、が記憶され、取得手段により、所定のタイミングで、無線回線を介して接続されたサーバに関するＣＤＳ識別情報と当該サーバに記憶されたメタ情報の更新関連情報とが取得され、更新判断手段により、取得手段によって取得されたＣＤＳ識別情報及び更新関連情報と、判断情報記憶手段に記憶されたＣＤＳ識別情報及び更新関連情報とが比較されて、メタ情報が更新されたか否かが判断され、更新手段により、更新判断手段によって、メタ情報が更新されたと判断された場合に、更新されたメタ情報が、当該メタ情報を記憶するサーバから取得されて、第２記憶手段が更新されるので、サーバのコンテンツに関するメタ情報を事前にクライアント端末側で記憶しておくことができ、例えば、ユーザがメタ情報をクライアント端末に表示させたい場合には事前に記憶したメタ情報を表示させればよく、クライアント端末において効率的にメタ情報を処理することができる。
【００１５】
請求項３に記載の発明によれば、請求項２に記載の発明と同様の効果が得られるのは勿論のこと、特に、サーバにおいて、複数のコンテナによりコンテンツが記憶され、コンテナ更新情報記憶手段により、更新関連情報としてコンテナが更新された回数を示すコンテナ更新情報が記憶され、クライアント端末において、判断情報記憶手段により、更新関連情報としてコンテナ更新情報が記憶され、取得手段により、コンテナ更新情報記憶手段に記憶されたコンテナ更新情報が取得され、更新判断手段により、取得手段によって取得されたコンテナ更新情報と、判断情報記憶手段に記憶されたコンテナ更新情報とが一致するか否かが判断されることにより、第１記憶手段が更新されたか否かが判断されるので、各コンテナ毎にメタ情報の更新の有無を確認することができ、より確実にメタ情報をクライアント端末に記憶させることができる。
【００１６】
請求項４に記載の発明によれば、請求項３に記載の発明と同様の効果が得られるのは勿論のこと、特に、サーバに備えられたサーバ更新情報記憶手段により、更新関連情報としてサーバが更新された回数を示すサーバ更新情報が記憶され、判断情報記憶手段により、更新関連情報としてサーバ更新情報が記憶され、取得手段により、サーバ更新情報記憶手段に記憶されたサーバ更新情報が取得され、更新判断手段により、取得手段によって取得されたサーバ更新情報が判断情報記憶手段に記憶されたサーバ更新情報と一致するか否かが判断され、一致しないと判断された場合に、取得手段によって取得されたコンテナ更新情報が判断情報記憶手段に記憶されたコンテナ更新情報と一致するか否かが判断されるので、まず、サーバ更新情報に基づいて、サーバ毎にメタ情報の更新の有無を判断し、サーバ内のメタ情報が更新されたと判断した場合にのみ、コンテナ毎にメタ情報の更新の有無を判断することができることとなって、より効率的にメタ情報の更新の有無を確認することができる。
【００１７】
請求項５に記載の発明によれば、請求項３又は４に記載された発明と同様の効果が得られるのは勿論のこと、特に、サーバに備えられたサーバ識別情報記憶手段により、当該サーバのサーバ識別情報が記憶され、判断情報記憶手段により、サーバ識別情報とＣＤＳ識別情報とが対応付けられて記憶され、取得手段により、無線回線を介して接続されたサーバに関するサーバ識別情報が取得され、更新判断手段により、取得手段によって取得されたサーバ識別情報及びＣＤＳ識別情報に基づいてＣＤＳが特定され、特定されたＣＤＳにより管理され、取得手段によって取得されたコンテナ更新情報が判断情報記憶手段に記憶されたコンテナ更新情報と一致するか否かが判断されるので、サーバ内に複数のＣＤＳが備えられたり、１つのＣＤＳで複数のサーバのメタ情報を管理することとしても、ＣＤＳを特定することができ、当該ＣＤＳにより管理されるメタ情報の更新を確実に確認することができる。
【発明を実施するための最良の形態】
【００１８】
以下、図を参照して、本発明に係るクライアント・サーバシステムを実施するための最良の形態を詳細に説明する。
【００１９】
まず、本発明に係るクライアント・サーバシステム１００の構成について図１を参照しながら説明する。本実施形態に係るクライアント・サーバシステム１００は、例えば、図１に示すように、コンテンツを記憶する一乃至複数のサーバとしてのＤＭＳ（Digital  Media  Server）１と、当該ＤＭＳ１と無線回線Ｎを介して接続され、当該ＤＭＳ１からコンテンツを受信するクライアント端末２と、を備えて構成されている。
なお、無線回線Ｎに接続されるＤＭＳ１とクライアント端末２との数は、図示例に限定されるものではなく、任意である。
【００２０】
無線回線Ｎは、例えば、Bluetooth規格やＩＥＥＥ（Institute  of  Electrical  and  Electronic  Engineers）８０２．１１規格等に準じた無線ＬＡＮ（Local  Area  Network）等のネットワークである。
【００２１】
ＤＭＳ１は、例えば、図２に示すように、通信部３，ＣＰＵ（Central  Processing  Unit）４，ＲＡＭ（Random  Access  Memory）５，記憶部６等を備えて構成されている。
【００２２】
通信部３は、例えば、無線回線Ｎを介して、クライアント端末２との間で所定の通信データの送受信を行う。
具体的には、通信部３は、例えば、無線アンテナ（図示省略），ミキサ（図示省略）等を備え、ＣＰＵ４からの制御信号に従って、コンテンツに所定の処理を施して、無線アンテナによりクライアント端末２に送信させる。
また、通信部３は、無線回線Ｎを介して、後述するメタ情報データベース６Ｂに記憶されているメタ情報をクライアント端末２に送信し、送信手段として機能する。
【００２３】
ＣＰＵ４は、例えば、記憶部６に格納された処理プログラム等を読み出して、ＲＡＭ５に展開して実行することにより、ＤＭＳ１全体の制御を行う。
【００２４】
ＲＡＭ５は、ＣＰＵ４により実行された処理プログラム等を、ＲＡＭ５内のプログラム格納領域に展開するとともに、入力データや上記処理プログラムが実行される際に生じる処理結果等をデータ格納領域に格納する。
【００２５】
記憶部６は、例えば、プログラムやデータ等が予め記憶されている記憶媒体（図示せず）を有しており、この記憶媒体は、例えば、半導体メモリ等で構成されている。また、記憶部６は、ＣＰＵ４がＤＭＳ１全体を制御する機能を実現させるための各種データ，各種処理プログラム，これらプログラムの実行により処理されたデータ等を記憶する。より具体的には、記憶部６は、例えば、図２に示すように、コンテンツデータベース６Ａ，メタ情報データベース６Ｂ，識別情報データファイル６Ｃ，更新情報データファイル６Ｄ，ＣＤＳ（Content  Directory  Service）プログラム６Ｅ等を格納している。
【００２６】
コンテンツデータベース６Ａは、例えば、クライアント端末２に送信するコンテンツを記憶している。また、コンテンツデータベース６Ａは、例えば、図３に示すように、記憶部６内に階層的に配置されたコンテナＫ内に格納されている。
【００２７】
メタ情報データベース６Ｂは、例えば、コンテンツのメタ情報を記憶している。記憶部６は、かかるメタ情報データベース６Ｂを格納することにより、第１記憶手段として機能する。
【００２８】
識別情報データファイル６Ｃは、例えば、当該ＤＭＳ１を識別するためのサーバ識別情報としてのＵＵＩＤ（ＵＤＮ）と、当該ＤＭＳ１内に備えられたＣＤＳプログラム６Ｅを識別するためのＣＤＳ識別情報としてのＵＵＩＤ（ＵＤＮ）と、を記憶している。記憶部６は、かかる識別情報データファイル６Ｃを格納することにより、サーバ識別情報記憶手段として機能する。
【００２９】
更新情報データファイル６Ｄは、例えば、ＤＭＳ１が更新された回数を示すサーバ更新情報としてのSystem Update IDと、コンテナＫが更新された回数を示すコンテナ更新情報としてのContainer Update IDと、を記憶している。記憶部６は、かかる更新情報データファイル６Ｄを格納することにより、サーバ更新情報記憶手段及びコンテナ更新情報記憶手段として機能する。
【００３０】
ＣＤＳプログラム６Ｅは、例えば、ＣＰＵ４に、ＤＭＳ１内に記憶されるコンテンツのメタ情報を管理する機能を実現させるプログラムである。
【００３１】
クライアント端末２は、例えば、図４に示すように、通信部７，デコーダ８，表示部９，音出力部１０，ＣＰＵ１１，ＲＡＭ１２，記憶部１３等を備えて構成されている。
【００３２】
通信部７は、例えば、無線回線Ｎを介して、ＤＭＳ１との間で所定の通信データの送受信を行う。
具体的には、通信部７は、例えば、無線アンテナ（図示省略），ミキサ（図示省略）等を備え、無線アンテナによりＤＭＳ１から送信されたデータに所定の処理を施して、デコーダ８に出力する。
また、通信部７は、無線アンテナ１４Ａを制御して、ＤＭＳ１から送信されるメタ情報を受信させる。
【００３３】
デコーダ８は、例えば、ＣＰＵ１１から入力される制御信号に従って、ＤＭＳ１から送信されたコンテンツをデコードして、映像データ及び音声データを生成し、表示部９及び音出力部１０に出力する。
【００３４】
表示部９は、例えば、ＬＣＤ（Liquid  Crystal  Display）やＰＤＰ（Plasma  Display  Panel）等を備えて構成され、デコーダ８から出力される映像データに基づく映像を表示する。
【００３５】
音出力部１０は、例えば、スピーカ等を備えて構成され、デコーダ８から出力される音声データに基づく音声を出力する。
【００３６】
ＣＰＵ１１は、例えば、記憶部１３に格納された処理プログラム等を読み出して、ＲＡＭ１２に展開して実行することにより、クライアント端末２全体の制御を行う。
【００３７】
ＲＡＭ１２は、ＣＰＵ１１により実行された処理プログラム等を、ＲＡＭ１２内のプログラム格納領域に展開するとともに、入力データや上記処理プログラムが実行される際に生じる処理結果等をデータ格納領域に格納する。
【００３８】
記憶部１３は、例えば、プログラムやデータ等が予め記憶されている記憶媒体（図示せず）を有しており、この記憶媒体は、例えば、半導体メモリ等で構成されている。また、記憶部１３は、ＣＰＵ１１がクライアント端末２全体を制御する機能を実現させるための各種データ，各種処理プログラム，これらプログラムの実行により処理されたデータ等を記憶する。より具体的には、記憶部１３は、例えば、図４に示すように、ＣＤＳ管理データファイル１３Ａ，データベース１３Ｂ，ＣＤＳ管理データ取得プログラム１３Ｃ，ＵＵＩＤ比較プログラム１３Ｄ，更新検出プログラム１３Ｅ，ブラウズプログラム１３Ｆ，Container Update ID比較プログラム１３Ｇ，メタ情報記憶プログラム１３Ｈ等を格納している。
【００３９】
ＣＤＳ管理データファイル１３Ａは、例えば、ＤＭＳ１のＵＵＩＤと、ＣＤＳプログラム６ＥのＵＵＩＤと、System Update IDと、Container Update IDと、を記憶している。記憶部１３は、かかるＣＤＳ管理データファイル１３Ａを格納することにより、判断情報記憶手段として機能する。
【００４０】
データベース１３Ｂは、例えば、ＤＭＳ１から送信されるコンテンツと、当該コンテンツのメタ情報と、を記憶している。記憶部１３は、かかるデータベース１３Ｂを記憶することにより、第２記憶手段として機能する。
【００４１】
ＣＤＳ管理データ取得プログラム１３Ｃは、例えば、ＣＰＵ１１に、電源投入時に、無線回線Ｎを介して接続されたＤＭＳ１のＵＵＩＤと、当該ＤＭＳ１内に記憶されるメタ情報を管理するＣＤＳプログラム６ＥのＵＵＩＤと、System Update IDと、Container Update IDと、を当該ＤＭＳ１から取得し、ＲＡＭ１２に一時的に記憶させる機能を実現させるプログラムである。ＣＰＵ１１は、かかるＣＤＳ管理データ取得プログラム１３Ｃを実行することにより、取得手段として機能する。
【００４２】
ＵＵＩＤ比較プログラム１３Ｄは、例えば、ＣＰＵ１１に、ＣＤＳ管理データ取得プログラム１３Ｃを実行することにより取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致するか否かを判断する機能を実現させるプログラムである。
ここで、ＣＤＳ管理データ取得プログラム１３Ｃを実行することにより取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致するとは、無線回線Ｎ上に新たなＤＭＳ１及びＣＤＳプログラム６Ｅが設けられていないことを示し、一致しないとは、無線回線Ｎ上に新たなＤＭＳ１及び／又はＣＤＳプログラム６Ｅが設けられていることを示す。
【００４３】
更新検出プログラム１３Ｅは、例えば、ＣＰＵ１１に、ＵＵＩＤ比較プログラム１３Ｄを実行することにより、ＣＤＳ管理データ取得プログラム１３Ｃを実行することによって取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致すると判断した場合に、当該ＵＵＩＤにより識別されるＣＤＳプログラム６Ｅにより管理され、当該ＵＵＩＤにより識別されるＤＭＳ１から取得されたSystem Update IDが、ＣＤＳ管理データファイル１３Ａに記憶されているSystem Update IDと一致するか否かを判断する機能を実現させるプログラムである。
ここで、ＤＭＳ１から取得されたSystem Update IDが、ＣＤＳ管理データファイル１３Ａに記憶されているSystem Update IDと一致するとは、当該ＤＭＳ１が更新されていないことを示し、一致しないとは、当該ＤＭＳ１が更新されていることを示す。
【００４４】
ブラウズプログラム１３Ｆは、例えば、ＣＰＵ１１に、ＵＵＩＤ比較プログラム１３Ｄを実行することにより、ＣＤＳ管理データ取得プログラム１３Ｃを実行することによって取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致しないと判断した場合、及び、更新検出プログラム１３Ｅを実行することにより、ＤＭＳ１から取得されたSystem Update IDが、ＣＤＳ管理データファイル１３Ａに記憶されているSystem Update IDと一致しないと判断した場合に、当該ＤＭＳ１内にContainer Update IDが記憶されているか否か（即ち、ＣＤＳ管理データ取得プログラム１３Ｃを実行することにより当該ＤＭＳ１のContainer Update IDが取得されているか否か）を判断し、当該ＤＭＳ１内にContainer Update IDが記憶されていないと判断した場合に、当該ＤＭＳ１内をＣＤＳブラウズして、メタ情報を取得する機能を実現させるプログラムである。
【００４５】
Container Update ID比較プログラム１３Ｇは、例えば、ＣＰＵ１１に、ブラウズプログラム１３Ｆを実行することにより、当該ＤＭＳ１内にContainer Update IDが記憶されていると判断した場合に、ＣＤＳ管理データ取得プログラム１３Ｃを実行することにより取得したContainer Update IDが、ＣＤＳ管理データファイル１３Ａに記憶されているContainer Update IDと一致するか否かを判断する機能を実現させるプログラムである。
ここで、ＣＤＳ管理データ取得プログラム１３Ｃを実行することにより取得したContainer Update IDが、ＣＤＳ管理データファイル１３Ａに記憶されているContainer Update IDと一致するとは、コンテナＫ内のコンテンツが更新されていないことを示し、一致しないとは、コンテナＫ内のコンテンツが更新されていることを示す。
そして、ＣＰＵ１１は、ＵＵＩＤ比較プログラム１３Ｄ，更新検出プログラム１３Ｅ，ブラウズプログラム１３Ｆ，Container Update ID比較プログラム１３Ｇを実行することにより、更新判断手段として機能する。
【００４６】
メタ情報記憶プログラム１３Ｈは、例えば、ＣＰＵ１１に、Container Update ID比較プログラム１３Ｇを実行することにより、ＣＤＳ管理データ取得プログラム１３Ｃを実行することにより取得したContainer Update IDが、ＣＤＳ管理データファイル１３Ａに記憶されているContainer Update IDと一致しないと判断した場合、即ち、コンテナＫ内のコンテンツが更新されていると判断した場合に、更新後のＤＭＳ１のＵＵＩＤ，更新後のＣＤＳプログラム６ＥのＵＵＩＤ，System Update ID及びContainer Update IDによりＣＤＳ管理データファイル１３Ａを更新するとともに、更新されたメタ情報をＤＭＳ１から取得し、データベース１３Ｂを更新する機能を実現させるプログラムである。
また、メタ情報記憶プログラム１３Ｈは、例えば、ＣＰＵ１１に、更新後のＤＭＳ１のＵＵＩＤ，更新後のＣＤＳプログラム６ＥのＵＵＩＤ，System Update ID及びContainer Update IDによりＣＤＳ管理データファイル１３Ａを更新するとともに、ブラウズプログラム１３Ｆを実行することにより取得したメタ情報によりデータベース１３Ｂを更新する機能を実現させるプログラムである。
ＣＰＵ１１は、かかるメタ情報記憶プログラム１３Ｈを実行することにより、更新手段として機能する。
【００４７】
次に、上述のような構成のクライアント・サーバシステム１００のクライアント端末２におけるメタ情報記憶動作について図５に示すフローチャートを参照しながら説明する。
まず、ＣＰＵ１１は、ＣＤＳ管理データ取得プログラム１３Ｃを実行することにより、電源投入時に、無線回線Ｎを介して接続されたＤＭＳ１のＵＵＩＤと、当該ＤＭＳ１内に記憶されるメタ情報を管理するＣＤＳプログラム６ＥのＵＵＩＤと、System Update IDと、Container Update IDと、を当該ＤＭＳ１から取得し、ＲＡＭ１２に一時的に記憶させる（ステップＳ１）。
【００４８】
次に、ＣＰＵ１１は、ＵＵＩＤ比較プログラム１３Ｄを実行することにより、ステップＳ１において取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致するか否かを判断する（ステップＳ２）。
【００４９】
ステップＳ２において、ＣＰＵ１１が、ステップＳ１において取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致しないと判断した場合には（ステップＳ２；Ｎｏ）、ステップＳ４に進む。
ステップＳ２において、ＣＰＵ１１が、ステップＳ１において取得したＤＭＳ１のＵＵＩＤ及びＣＤＳプログラム６ＥのＵＵＩＤと、ＣＤＳ管理データファイル１３Ａに記憶されているＤＭＳ１のＵＵＩＤ及びＣＤＳプログラム６ＥのＵＵＩＤとが一致すると判断した場合には（ステップＳ２；Ｙｅｓ）、ＣＰＵ１１は、更新検出プログラム１３Ｅを実行することにより、当該ＵＵＩＤにより識別されるＣＤＳプログラム６Ｅにより管理され、当該ＵＵＩＤにより識別されるＤＭＳ１からステップＳ１において取得されたSystem Update IDが、ＣＤＳ管理データファイル１３Ａに記憶されているSystem Update IDと一致するか否かを判断する（ステップＳ３）。
【００５０】
ステップＳ３において、ＣＰＵ１１が、ステップＳ１において取得されたSystem Update IDが、ＣＤＳ管理データファイル１３Ａに記憶されているSystem Update IDと一致すると判断した場合には（ステップＳ３；Ｙｅｓ）、ステップＳ８に進む。
ステップＳ３において、ＣＰＵ１１が、ステップＳ１において取得されたSystem Update IDが、ＣＤＳ管理データファイル１３Ａに記憶されているSystem Update IDと一致しないと判断した場合には（ステップＳ３；Ｎｏ）、ＣＰＵ１１は、ブラウズプログラム１３Ｆを実行することにより、当該ＤＭＳ１内にContainer Update IDが記憶されているか否か（即ち、ステップＳ１において当該ＤＭＳ１のContainer Update IDが取得されているか否か）を判断する（ステップＳ４）。
【００５１】
ステップＳ４において、ＣＰＵ１１が、当該ＤＭＳ１内にContainer Update IDが記憶されていないと判断した場合には（ステップＳ４；Ｎｏ）、ＣＰＵ１１は、ブラウズプログラム１３Ｆの実行に基づいて、当該ＤＭＳ１内をＣＤＳブラウズして、メタ情報を取得し（ステップＳ５）、ステップＳ７に進む。
ステップＳ４において、ＣＰＵ１１が、当該ＤＭＳ１内にContainer Update IDが記憶されていると判断した場合には（ステップＳ４；Ｙｅｓ）、ＣＰＵ１１は、Container Update ID比較プログラム１３Ｇを実行することにより、ステップＳ１において取得したContainer Update IDが、ＣＤＳ管理データファイル１３Ａに記憶されているContainer Update IDと一致するか否かを判断する（ステップＳ６）。
【００５２】
ステップＳ６において、ＣＰＵ１１が、ステップＳ１において取得したContainer Update IDが、ＣＤＳ管理データファイル１３Ａに記憶されているContainer Update IDと一致すると判断した場合には（ステップＳ６；Ｙｅｓ）、ステップＳ８に進む。
ステップＳ６において、ＣＰＵ１１が、ステップＳ１において取得したContainer Update IDが、ＣＤＳ管理データファイル１３Ａに記憶されているContainer Update IDと一致しないと判断した場合には（ステップＳ６；Ｎｏ）、ＣＰＵ１１は、メタ情報記憶プログラム１３Ｈを実行することにより、更新後のＤＭＳ１のＵＵＩＤ，更新後のＣＤＳプログラム６ＥのＵＵＩＤ，System Update ID及びContainer Update IDによりＣＤＳ管理データファイル１３Ａを更新するとともに、更新されたメタ情報をＤＭＳ１から取得し、データベース１３Ｂを更新する（ステップＳ７）。
【００５３】
次に、ＣＰＵ１１は、ステップＳ１において取得した全てのＵＵＩＤにより特定されるＣＤＳプログラム６Ｅにより管理されるメタ情報について、ステップＳ２〜ステップＳ７までの記憶処理を実行したか否かを判断する（ステップＳ８）。
【００５４】
ステップＳ８において、ＣＰＵ１１が、ステップＳ１において取得した全てのＵＵＩＤにより特定されるＣＤＳプログラム６Ｅにより管理されるメタ情報について、ステップＳ２〜ステップＳ７までの記憶処理を実行していないと判断した場合には（ステップＳ８；Ｎｏ）、ステップＳ２に戻る。
ステップＳ８において、ＣＰＵ１１が、ステップＳ１において取得した全てのＵＵＩＤにより特定されるＣＤＳプログラム６Ｅにより管理されるメタ情報について、ステップＳ２〜ステップＳ７までの記憶処理を実行したと判断した場合には（ステップＳ８；Ｙｅｓ）、本処理を終了する。
【００５５】
以上に説明したクライアント・サーバシステム１００によれば、ＤＭＳ１において、メタ情報データベース６Ｂにより、コンテンツのメタ情報が記憶され、通信部３により、メタ情報データベース６Ｂに記憶されたメタ情報がクライアント端末２に送信され、クライアント端末２において、データベース１３Ｂにより、通信部３によって送信されたメタ情報が記憶され、ＣＤＳ管理データファイル１３Ａにより、ＤＭＳ１のコンテンツのメタ情報を管理するＣＤＳ（Content  Directory  Service）プログラム６Ｅを識別するＣＤＳプログラム６ＥのＵＵＩＤと、当該ＣＤＳプログラム６Ｅにより管理されるメタ情報の更新に関連する更新関連情報としてのSystem Update ID及びContainer Update IDと、が記憶され、ＣＰＵ１１がＣＤＳ管理データ取得プログラム１３Ｃを実行することにより、電源投入時に、無線回線Ｎを介して接続されたＤＭＳ１に関するＣＤＳプログラム６ＥのＵＵＩＤと当該ＤＭＳ１に記憶されたメタ情報の更新関連情報としてのSystem Update ID及びContainer Update IDとが取得され、ＣＰＵ１１がＵＵＩＤ比較プログラム１３Ｄ，更新検出プログラム１３Ｅ，ブラウズプログラム１３Ｆ，Container Update ID比較プログラム１３Ｇを実行することにより、ＣＤＳ管理データ取得プログラム１３Ｃを実行することによって取得されたＣＤＳプログラム６ＥのＵＵＩＤ及びSystem Update ID及びContainer Update IDと、ＣＤＳ管理データファイル１３Ａに記憶されたＣＤＳプログラム６ＥのＵＵＩＤ及びSystem Update ID及びContainer Update IDとが比較されて、メタ情報が更新されたか否かが判断され、ＣＰＵ１１がメタ情報記憶プログラム１３Ｈを実行することにより、ＵＵＩＤ比較プログラム１３Ｄ，更新検出プログラム１３Ｅ，ブラウズプログラム１３Ｆ，Container Update ID比較プログラム１３Ｇを実行することによって、メタ情報が更新されたと判断した場合に、更新されたメタ情報が、当該メタ情報を記憶するＤＭＳ１から取得されて、データベース１３Ｂが更新されるので、ＤＭＳ１のコンテンツに関するメタ情報を事前にクライアント端末２側で記憶しておくことができ、例えば、ユーザがメタ情報をクライアント端末２に表示させたい場合には事前に記憶したメタ情報を表示させればよく、クライアント端末２において効率的にメタ情報を処理することができる。
【００５６】
また、ＤＭＳ１において、複数のコンテナＫによりコンテンツが記憶され、更新情報データファイル６Ｄにより、更新関連情報としてコンテナＫが更新された回数を示すContainer Update IDが記憶され、クライアント端末において、ＣＤＳ管理データファイル１３Ａにより、更新関連情報としてContainer Update IDが記憶され、ＣＰＵ１１がＣＤＳ管理データ取得プログラム１３Ｃを実行することにより、更新情報データファイル６Ｄに記憶されたContainer Update IDが取得され、ＣＰＵ１１がContainer Update ID比較プログラム１３Ｇを実行することにより、取得したContainer Update IDと、ＣＤＳ管理データファイル１３Ａに記憶されたContainer Update IDとが一致するか否かが判断されることにより、メタ情報データベース６Ｂが更新されたか否かが判断されるので、各コンテナＫ毎にメタ情報の更新の有無を確認することができ、より確実にメタ情報をクライアント端末２に記憶させることができる。
【００５７】
また、ＤＭＳ１に備えられた更新情報データファイル６Ｄにより、更新関連情報としてＤＭＳ１が更新された回数を示すSystem Update IDが記憶され、ＣＤＳ管理データファイル１３Ａにより、更新関連情報としてSystem Update IDが記憶され、ＣＰＵ１１がＣＤＳ管理データ取得プログラム１３Ｃを実行することにより、更新情報データファイル６Ｄに記憶されたSystem Update IDが取得され、ＣＰＵ１１が更新検出手段を実行することにより、ＣＤＳ管理データ取得プログラム１３Ｃを実行することによって取得したSystem Update IDがＣＤＳ管理データファイル１３Ａに記憶されたSystem Update IDと一致するか否かが判断され、一致しないと判断された場合に、ＣＤＳ管理データ取得プログラム１３Ｃを実行することによって取得したContainer Update IDがＣＤＳ管理データファイル１３Ａに記憶されたContainer Update IDと一致するか否かが判断されるので、まず、System Update IDに基づいて、ＤＭＳ１毎にメタ情報の更新の有無を判断し、ＤＭＳ１内のメタ情報が更新されたと判断した場合にのみ、コンテナＫ毎にメタ情報の更新の有無が判断することができることとなって、より効率的にメタ情報の更新の有無を確認することができる。
【００５８】
また、ＤＭＳ１に備えられた識別情報データファイル６Ｃにより、当該ＤＭＳ１のＵＵＩＤが記憶され、ＣＤＳ管理データファイル１３Ａにより、ＤＭＳ１のＵＵＩＤとＣＤＳプログラム６ＥのＵＵＩＤとが対応付けられて記憶され、ＣＰＵ１１がＣＤＳ管理データ取得プログラム１３Ｃを実行することにより、無線回線Ｎを介して接続されたＤＭＳ１に関するＵＵＩＤが取得され、ＣＰＵ１１がＵＵＩＤ比較プログラム１３Ｄを実行することにより、ＣＤＳ管理データ取得プログラム１３Ｃを実行することによって取得したＤＭＳ１のＵＵＩＤ及びＣＤＳプログラム６ＥのＵＵＩＤに基づいてＣＤＳプログラム６Ｅが特定され、特定されたＣＤＳプログラム６Ｅにより管理され、ＣＤＳ管理データ取得プログラム１３Ｃを実行することによって取得したContainer Update IDがＣＤＳ管理データファイル１３Ａに記憶されたContainer Update IDと一致するか否かが判断されるので、ＤＭＳ１内に複数のＣＤＳプログラム６Ｅが備えられたり、１つのＣＤＳプログラム６Ｅで複数のＤＭＳ１のメタ情報を管理することとしても、ＣＤＳプログラム６Ｅを特定することができ、当該ＣＤＳプログラム６Ｅにより管理されるメタ情報の更新を確実に確認することができる。
【００５９】
なお、本実施形態では、クライアント端末２がＤＭＳ１からＤＭＳ１のＵＵＩＤと、ＣＤＳプログラム６ＥのＵＵＩＤと、System Update ID及びContainer Update IDとを取得して、メタ情報を更新する所定のタイミングとして、電源投入時を例示して説明したが、これに限られるものではなく、例えば、無線回線Ｎ上に新しいＤＭＳ１を発見した時やＤＭＳ１からSystem Update ID及び／又はContainer Update IDが更新された旨の通知を受信した時であってもよい。例えば、無線回線Ｎ上に新しいＤＭＳ１を発見した場合には、図５のステップＳ２〜ステップＳ７までの処理を行えばよい。また、ＤＭＳ１からSystem Update ID及び／又はContainer Update IDが更新された旨の通知を受信した場合には、図５のステップＳ３〜ステップＳ６までの処理を行えばよい。
また、ＤＭＳが、内部のＣＤＳを管理する構成としたが、複数のＤＭＳのＣＤＳを一括して管理するＣＤＳ管理装置を別個に設けても良く、この場合、ＤＭＳ及びＣＤＳのＵＵＩＤ，System Update ID，Container Update IDは、ＣＤＳ管理装置からクライアント端末に送信されるようにしてもよい。
【図面の簡単な説明】
【００６０】
【図１】本発明に係るクライアント・サーバシステムの概略構成を示す図である。
【図２】本発明に係るサーバの構成を示すブロック図である。
【図３】本発明に係るメタ情報データベースの構成を説明する図である。
【図４】本発明に係るクライアント端末の構成を示すブロック図である。
【図５】本発明に係るクライアント・サーバシステムのクライアント端末におけるメタ情報記憶動作の一例を説明するフローチャートである。
【符号の説明】
【００６１】
１  ＤＭＳ（サーバ）
２  クライアント端末
３  通信部（送信手段）
６  記憶部（第１記憶手段，サーバ識別情報記憶手段，コンテナ更新情報記憶手段，サーバ更新情報記憶手段）
６Ｂ  メタ情報データベース（第１記憶手段）
６Ｃ  識別情報データファイル（サーバ識別情報記憶手段）
６Ｄ  更新情報データファイル（コンテナ更新情報記憶手段，サーバ更新情報記憶手段）
６Ｅ  ＣＤＳプログラム（ＣＤＳ）
１１  ＣＰＵ（取得手段，更新判断手段，更新手段）
１３  記憶部（判断情報記憶手段，第２記憶手段）
１３Ａ  ＣＤＳ管理データファイル（判断情報記憶手段）
１３Ｂ  データベース（第２記憶手段）
１３Ｃ  ＣＤＳ管理データ取得プログラム（取得手段）
１３Ｄ  ＵＵＩＤ比較プログラム（更新判断手段）
１３Ｅ  更新検出プログラム（更新判断手段）
１３Ｆ  ブラウズプログラム（更新判断手段）
１３Ｇ  Container Update ID比較プログラム（更新判断手段）
１３Ｈ  メタ情報記憶プログラム（更新手段）
１００  クライアント・サーバシステム
Ｋ  コンテナ
Ｎ  無線回線
【図１】
2008102711.tif 000003
【図２】
2008102711.tif 000004
【図３】
2008102711.tif 000005
【図４】
2008102711.tif 000006
【図５】
2008102711.tif 000007